(57)【要約】【課題】サイズだけでなく布の伸縮度の違いによるフィット感も考慮した衣類を提供することができる衣類の販売用セットを提供する【解決手段】互いに異なるサイズを有する複数のサイズ群から構成するとともに、各サイズ群を、同サイズで布の伸縮度のみが互いに異なる複数の衣類から構成する。例えば、ショートブラジャー１の販売用セットの場合、サイズ群は、Ａ６５（カップサイズ／アンダーバストサイズ）、Ａ７０、Ｂ６５、Ｂ７０、Ｃ６５及びＣ７０のサイズを有するショートブラジャー１から構成する。また、各サイズ群は、同サイズで、布の伸縮度をミディアムまたはハードに設定したショートブラジャー１から構成する。【選択図】図１
0003119731.tif 000002
【実用新案登録請求の範囲】
【請求項１】
互いに異なるサイズを有する複数のサイズ群からなる衣類の販売用セットであって、各サイズ群は、同サイズで布の特性のみが互いに異なる複数の衣類から構成されることを特徴とする衣類の販売用セット。
【請求項２】
互いに異なるサイズを有する複数のサイズ群からなる衣類の販売用セットであって、各サイズ群は、同サイズで布の伸縮度のみが互いに異なる複数の衣類から構成されることを特徴とする衣類の販売用セット。
【請求項３】
互いに異なるカップサイズ、アンダーバストサイズ及び／又はバージスサイズを有する複数のサイズ群からなるカップ部を有する衣類の販売用セットであって、各サイズ群は、同サイズで布の伸縮度のみが互いに異なる複数のカップ部を有する衣類から構成されることを特徴とする衣類の販売用セット。
【請求項４】
互いに異なるウエストサイズ、ヒップサイズ、ヒップカップサイズ、脚口サイズ及び／又は胴部サイズを有する複数のサイズ群からなるボトム衣類の衣類の販売用セットであって、各サイズ群は、同サイズで布の伸縮度のみが互いに異なる複数のボトム衣類から構成されることを特徴とする衣類の販売用セット。
【考案の詳細な説明】
【技術分野】
【０００１】
本考案は、着用者の体型にフィットする衣類を提供するための衣類の販売用セットに関するものである。
【背景技術】
【０００２】
人の体型は千差万別であり、それぞれの体型に合う衣類を提供するために、複数の異なるサイズを有する衣類が店頭に展示されている。着用者は、多くの衣類の中から、自分の体型に合うサイズの衣類を選ぶ。
【考案の開示】
【考案が解決しようとする課題】
【０００３】
しかしながら、サイズは合っていても、皮下脂肪の沈着の仕方や柔硬または好みの違いから、伸縮度等の布の特性が合わず、人によっては窮屈感や不快感を感じることがある。従来の衣類は、サイズのバリエーションは豊富にあっても、布の伸縮度は考慮されていなかった。
【０００４】
本考案は、上記課題に鑑み、サイズだけでなく布の特性の違いによるフィット感をも考慮した衣類を提供することができる衣類の販売用セットを提供することを目的とする。
【課題を解決するための手段】
【０００５】
上記目的を達成するため、本考案は、互いに異なるサイズを有する複数のサイズ群からなる衣類の販売用セットであって、各サイズ群は、同サイズで布の特性のみが互いに異なる複数の衣類から構成されることを特徴とする衣類の販売用セットである。
【０００６】
言い換えれば、１つのサイズ群は、同サイズであるが、布の特性が互いに異なる２以上の衣類から構成されている。このような構成のサイズ群が２以上用意される。各サイズ群は互いに異なるサイズを有している。
【０００７】
上記の構成によると、同サイズで異なる布特性の衣類が用意されているので、サイズによるフィット感だけでなく、布の特性の違いによるフィット感をも考慮した衣類を提供することができる。
【０００８】
布の特性としては、布の伸縮度、厚み、通気性の加減、防水性の有無等が挙げられるが、これに限定されるものではない。なお、布の伸縮度は、着圧など衣類のフィット感への影響が大きいので、布の特性を伸縮度にするのが好ましい。特に、衣類がアンダーウエアである場合には、フィット感が重要となってくるので、布の特性を伸縮度とするのが好ましい。
【０００９】
衣類としては、ブラジャー（ロングラインブラジャーを含む）、スリーインワン、ボディスーツ、水着等のカップ部を有する衣類や、ショートガードル、ロングガードル、ショートボディスーツ、ロングボディスーツ、スリーインワン、ウエストニッパー、水着、スパッツ等のボトム衣類が例示されるが、これに限定されるものではない。
【００１０】
カップ部を有する衣類の場合は、限定されるものではないが、互いに異なるカップサイズ、アンダーバストサイズ及び／又はバージスサイズを有する複数のサイズ群を用意し、各サイズ群は、同サイズで布の伸縮度のみが互いに異なる複数のカップ部を有する衣類から構成すればよい。カップサイズ、アンダーバストサイズ及び／又はバージスサイズのようなサイズだけでなく、布の伸縮によるフィット感をも考慮したカップ部を有する衣類を提供することができる。なお、カップサイズとは、一般的にＡカップ、Ｂカップ等と称されるようなカップ高さのことである。また、バージスサイズとは、乳房の下縁の半円状の輪郭線（バージスライン）の曲率のことである。
【００１１】
また、ボトム衣類としては、限定されるものではないが、互いに異なるウエストサイズ、ヒップサイズ、ヒップカップサイズ、脚口サイズ及び／又は胴部サイズを有する複数のサイズ群を用意し、各サイズ群は、同サイズで布の伸縮度のみが互いに異なる複数のボトム衣類から構成すればよい。ウエストサイズ、ヒップサイズ、ヒップカップサイズ、脚口サイズ及び／又は胴部サイズのようなサイズだけでなく、布の伸縮によるフィット感をも考慮したボトム衣類を提供することができる。なお、ウエストサイズとは、ウエストの最もくびれた部分の周長、ヒップサイズとは、ヒップの最も高い部分の周長、ヒップカップサイズとは、ヒップ部の膨らみ具合（カップ高さ）、脚口サイズとは、大腿部の周長、胴部サイズとは、胴部の周長である。
【考案の効果】
【００１２】
本考案によると、互いに異なるサイズを有する複数のサイズ群が用意されているので、まず、着用者は自分の体型に合うサイズ群を選ぶことができる。そして、各サイズ群が、同サイズで布の特性のみが互いに異なる複数の衣類から構成されているので、着用者は布の特性の違いによる好みのフィット感を選ぶことができる。したがって、サイズによるフィット感だけでなく、布の特性の違いによるフィット感をも考慮した衣類を提供することができる。
【００１３】
また、このような衣類の販売用セットを使用すれば、衣類のオーダーメイドも可能となる。すなわち、試着及び／又は採寸によって顧客の体型に合うサイズ群を選び、該サイズ群の中から、最も顧客の希望に合う布特性を有する衣類を試着させ選択すれば、サイズだけでなく、布特性の違いによるフィット感も考慮した衣類を提供することができる。
【考案を実施するための最良の形態】
【００１４】
以下、本考案の実施形態を図面に基づいて説明する。
【００１５】
＜第１の実施形態＞
図１は本考案に係るショートブラジャーの販売用セットの一例を示す構成図である。本販売用セットは、互いに異なるサイズを有する複数のサイズ群から構成される。サイズ群は、図１に示すように、Ａ６５（カップサイズ／アンダーバストサイズ）、Ａ７０、Ｂ６５、Ｂ７０、Ｃ６５、Ｃ７０と設定される。なお、さらに、バージスサイズを変化させたサイズ群を作成してもよい。
【００１６】
各サイズ群は、同サイズで布の伸縮度のみが互いに異なる複数の衣類から構成される。例えば、布の伸縮度は、伸縮度が低い（低伸縮）ハードと、ハードよりも伸縮度の高いミディアムとの２種類に設定される。布の伸縮度は、布を構成する糸のデニールを変更することにより調節すればよい。
【００１７】
上記のような構成のショートブラジャー１の販売用セットを店頭に並べれば、まず、着用者は自分の体型に合うサイズ群を選ぶことができる。例えば、Ｂ６５のサイズ群を選んだとする。次に、各サイズ群が、同サイズで布の伸縮度のみが互いに異なる複数の衣類から構成されているので、着用者は好みの伸縮度の衣類を選ぶことができる。例えば、Ｂ６５のサイズで、ミディアムとハードの２種類の伸縮度から、好みの伸縮度を選ぶことができる。このように、サイズによるフィット感だけでなく、布の伸縮度の違いによるフィット感を考慮した衣類を提供することができる。
【００１８】
＜第２の実施形態＞
図２は本考案に係るロングブラジャーの販売用セットの一例を示す構成図である。本販売用セットは、互いに異なるサイズを有する複数のサイズ群から構成される。サイズ群は、例えば、図２に示すように、Ａ６５（カップサイズ／アンダーバストサイズ）、Ａ７０、Ｂ６５、Ｂ７０、Ｃ６５、Ｃ７０と設定される。なお、さらに、バージスサイズを変化させたサイズ群を作成してもよい。
【００１９】
各サイズ群は、同サイズで布の伸縮度のみが互いに異なる複数の衣類から構成される。例えば、布の伸縮度は、伸縮度の低いハードと、ハードよりも伸縮度の高いミディアムとの２種類に設定される。布の伸縮度は、布を構成する糸のデニールを変更することにより調節すればよい。
【００２０】
上記のような構成のロングブラジャー２の販売用セットを店頭に並べれば、まず、着用者は自分の体型に合うサイズ群を選ぶことができる。例えば、Ｂ６５のサイズ群を選んだとする。次に、各サイズ群が、同サイズで布の伸縮度のみが互いに異なる複数の衣類から構成されているので、着用者は好みの伸縮度の衣類を選ぶことができる。例えば、Ｂ６５のサイズで、ミディアムとハードの２種類の伸縮度から、好みの伸縮度を選ぶことができる。このように、サイズによるフィット感だけでなく、布の伸縮度の違いによるフィット感を考慮した衣類を提供することができる。
【００２１】
＜第３の実施形態＞
図３は本考案に係るボディスーツの販売用セットの一例を示す構成図である。本販売用セットは、互いに異なるサイズを有する複数のサイズ群から構成される。サイズ群は、例えば、図３に示すように、身丈を最も短い「ｓｈｏｒｔ」、平均的な「ｍｅｄｉｕｍ」、最も長い「ｌｏｎｇ」と設定される。なお、さらに、カップサイズ、アンダーバストサイズ及び／又はバージスサイズを変化させたサイズ群を作成してもよい。
【００２２】
各サイズ群は、同サイズで布の伸縮度のみが互いに異なる複数の衣類から構成される。例えば、布の伸縮度は、伸縮度の低いハードと、ハードよりも伸縮度の高いミディアムとの２種類に設定される。布の伸縮度は、布を構成する糸のデニールを変更することにより調節すればよい。
【００２３】
上記のような構成のボディスーツ３の販売用セットを店頭に並べれば、まず、着用者は自分の体型に合うサイズ群を選ぶことができる。例えば、Ａ６５・ｓｈｏｒｔのサイズ群を選んだとする。次に、各サイズ群が、同サイズで布の伸縮度のみが互いに異なる複数の衣類から構成されているので、着用者は好みの伸縮度の衣類を選ぶことができる。例えば、Ａ６５・ｓｈｏｒｔのサイズで、ミディアムとハードの２種類の伸縮度から、好みの伸縮度を選ぶことができる。このように、サイズによるフィット感だけでなく、布の伸縮度の違いによるフィット感を考慮した衣類を提供することができる。
【００２４】
＜第４の実施形態＞
図４は本考案に係るロングガードルの販売用セットの一例を示す構成図である。本販売用セットは、互いに異なるサイズを有する複数のサイズ群から構成される。サイズ群は、例えば、図４に示すように、ウエストサイズが５８、６４、７０と設定される。なお、さらに、ヒップサイズ、ヒップカップサイズ、脚口サイズ及び／又は胴部サイズを変化させたサイズ群を作成してもよい。
【００２５】
各サイズ群は、同サイズで布の伸縮度のみが互いに異なる複数の衣類から構成される。例えば、布の伸縮度は、大腿部とそれよりも上部のヒップ部とで分けられ、伸縮度の低いハードと、ハードよりも伸縮度の高いミディアムとの２種類の組み合わせで設定される。すなわち、ヒップ部及び大腿部がミディアムの場合、ヒップ部がミディアムで大腿部がハードの場合、ヒップ部及び大腿部がハードの場合、ヒップ部がハードで大腿部がミディアムの場合の４通りとされる。布の伸縮度は、布を構成する糸のデニールを変更することにより調節すればよい。
【００２６】
上記のような構成のロングガードル４の販売用セットを店頭に並べれば、まず、着用者は自分の体型に合うサイズ群を選ぶことができる。例えば、５８のサイズ群を選んだとする。次に、各サイズ群が、同サイズで布の伸縮度のみが互いに異なる複数の衣類から構成されているので、着用者は好みの伸縮度の衣類を選ぶことができる。例えば、５８のサイズで、大腿部とヒップ部においてミディアムとハードの２種類の伸縮度の組合せから、好みの伸縮度を選ぶことができる。このように、サイズによるフィット感だけでなく、布の伸縮度の違いによるフィット感を考慮した衣類を提供することができる。
【００２７】
＜第５の実施形態＞
図５は本考案に係るショートガードルの販売用セットの一例を示す構成図である。本販売用セットは、互いに異なるサイズを有する複数のサイズ群から構成される。サイズ群は、例えば、図５に示すように、ウエストサイズが５８、６４、７０と設定される。なお、さらに、ヒップサイズ、ヒップカップサイズ、脚口サイズ及び／又は胴部サイズを変化させたサイズ群を作成してもよい。
【００２８】
各サイズ群は、同サイズで布の伸縮度のみが互いに異なる複数の衣類から構成される。例えば、布の伸縮度は、伸縮度の低いハードと、ハードよりも伸縮度の高いミディアムとの２種類に設定される。布の伸縮度は、布を構成する糸のデニールを変更することにより調節すればよい。
【００２９】
上記のような構成のショートガードル５の販売用セットを店頭に並べれば、まず、着用者は自分の体型に合うサイズ群を選ぶことができる。例えば、５８のサイズ群を選んだとする。次に、各サイズ群が、同サイズで布の伸縮度のみが互いに異なる複数の衣類から構成されているので、着用者は好みの伸縮度の衣類を選ぶことができる。例えば、５８のサイズで、ミディアムとハードの２種類の伸縮度から、好みの伸縮度を選ぶことができる。このように、サイズによるフィット感だけでなく、布の伸縮度の違いによるフィット感を考慮した衣類を提供することができる。
【図面の簡単な説明】
【００３０】
【図１】本考案に係るショートブラジャーの販売用セットの一例を示す構成図
【図２】本考案に係るロングブラジャーの販売用セットの一例を示す構成図
【図３】本考案に係るボディスーツの販売用セットの一例を示す構成図
【図４】本考案に係るロングガードルの販売用セットの一例を示す構成図
【図５】本考案に係るショートガードルの販売用セットの一例を示す構成図
【符号の説明】
【００３１】
１  ショートガードル
２  ロングガードル
３  ボディスーツ
４  ロングガードル
５  ショートガードル
【図１】
0003119731.tif 000003
【図２】
0003119731.tif 000004
【図３】
0003119731.tif 000005
【図４】
0003119731.tif 000006
【図５】
0003119731.tif 000007